(57)【特許請求の範囲】
【請求項１】
カラー画像信号の変換元の色と変換先の色を指定するための操作手段と、
ＲＧＢ空間を仕切る複数の境界によって区切られた複数の色相領域から前記操作手段によって指定された変換元の色と変換先の色に基づいて１つの色相領域を選択する色相領域選択手段と、
前記操作手段によって指定された変換元の色を変換先の色に変換するための前記境界によって区切られた各領域のマスキング係数を演算するマスキング係数演算手段と、
前記色相領域選択手段によって選択された色相領域において入力画像信号の色相領域を識別する色相領域識別手段と、
入力画像信号の彩度を識別する彩度識別手段と、
前記色相領域識別手段によって識別された入力画像信号の色相領域、及び前記彩度識別手段によって識別された前記入力画像信号の彩度に基づいて前記マスキング係数演算手段によって演算された各領域のマスキング係数から、前記色相領域識別手段によって識別された色相領域又は他の色相領域のマスキング係数を選択するマスキング係数選択手段と、
前記マスキング係数選択手段によって選択されたマスキング係数に基づいて前記入力画像信号を色変換する色変換手段と、
を備えていることを特徴とするカラー画像処理装置。
【発明の詳細な説明】
【０００１】
【発明の属する技術分野】
本発明は、色相を検出してカラー画像の色を他の色に変換するカラー画像処理装置に関する。
【０００２】
【従来の技術】
カラー画像の色を他の色に変換する方法としては色相を検出する方法が知られている。また、色相を検出する従来例としては、例えば（１）特開平１−１１４２６７号公報に示すように複数のディジタル画像信号（Ｒ，Ｇ，Ｂ）の内、最も大きい信号の大きさに応じた乗算処理を行い、この乗算処理された画像信号を用いて色相を検出する方法が提案されている。また、色変換を行う従来例としては、例えば（２）特開平１−２６９３６５号公報に示すように画像信号が示す色が属する色相領域を判定し、この判定された領域に応じて所定のパラメータの１組を選択し、この選択したパラメータにより画像信号を処理することにより色変換を行う方法が提案されている。
【０００３】
ところで、上記従来例（１）（２）では、色相領域を仕切る境界線は直線的である。しかしながら、実際の色における色相変動は、図６に示すように曲線的である。したがって、人がオリジナル画像のある変換元の色を指定して他の指定職に変換しようとする場合、例えばレッドをシアンに変換しようとする場合、彩度が薄い色と濃い色に対してＣＭＹ画像によるレッドの色相変動が直線的でないので、シアンに変換しても適切な色にならないという問題点がある。
【０００４】
本発明は上記従来例の問題点に鑑み、カラー画像の色を他の色に変換する場合に人の期待通りに変換することができるカラー画像処理装置を提供することを目的とする。
【０００５】
【課題を解決するための手段】
本発明は上記目的を達成するために、カラー画像信号の変換元の色と変換先の色を指定するための操作手段と、ＲＧＢ空間を仕切る複数の境界によって区切られた複数の色相領域から前記操作手段によって指定された変換元の色と変換先の色に基づいて１つの色相領域を選択する色相領域選択手段と、前記操作手段によって指定された変換元の色を変換先の色に変換するための前記境界によって区切られた各領域のマスキング係数を演算するマスキング係数演算手段と、前記色相領域選択手段によって選択された色相領域において入力画像信号の色相領域を識別する色相領域識別手段と、入力画像信号の彩度を識別する彩度識別手段と、前記色相領域識別手段によって識別された入力画像信号の色相領域、及び前記彩度識別手段によって識別された前記入力画像信号の彩度に基づいて前記マスキング係数演算手段によって演算された各領域のマスキング係数から、前記色相領域識別手段によって識別された色相領域又は他の色相領域のマスキング係数を選択するマスキング係数選択手段と、前記マスキング係数選択手段によって選択されたマスキング係数に基づいて前記入力画像信号を色変換する色変換手段と、を備えたカラー処理装置を特徴とする。
【０００８】
【発明の実施の形態】
以下、図面を参照して本発明の実施の形態を説明する。図１は本発明に係るカラー画像処理装置の一実施形態を示すブロック図、図２は図１の色変換部を詳しく示すブロック図、図３は図２の操作部を示す説明図、図４、図５は色相領域を示す説明図である。
【０００９】
図１において、原稿２１はスキャナ２２により読み取られてＲＧＢ信号３２に変換され、このＲＧＢ信号３２は彩度識別部２３と、色相領域識別部２４と色変換部２５に印加される。彩度識別部２３はこのＲＧＢ信号３２の色空間における彩度を識別し、色相領域識別部２４はこのＲＧＢ信号３２の色空間における色相領域を識別する。色変換部２５は図２に詳しく示すように色相領域識別部２４により識別された色相領域と彩度識別部２３により識別された彩度に基づいてＲＧＢ信号３２を色変換する。
【００１０】
図２を参照して色変換処理を詳しく説明する。操作部３１は人が入力画像信号（ＲＧＢ信号）３２の変換元の色と変換先の色を指定可能であり、例えば図３に示すように入力画像信号３２のある色としてレッド（Ｒ）を指定し、変換先の色としてシアン（Ｃ）をしていることができる。操作部３１はこの指定色データを色相領域選択部３３とマスキング係数演算部３４に送る。色相領域選択部３３には予めＲＧＢ空間を仕切る境界が設定されている。ここで、図４に示すようにＲＧＢ空間を仕切る平面の境界５１、５２、５３が予め設定されている場合、例えば図３に示すようにＲ、Ｃが指定されても入力画像信号３２のＲの彩度が高いときは、指定された色は変換されない。そこで、図５に示すように色相領域選択部３３には予め境界５１等の他に境界６２が設定されている。
【００１１】
そして、色相領域選択部３３は操作部３１を介して指定された変換元の色と変換先の色に基づいて色相領域を選択し、次いで色相領域識別部２４は色相領域選択部３３により選択された色相領域における入力画像信号３２の色相領域を識別する。また、彩度識別部２３は入力画像信号３２の彩度を識別する。
【００１２】
更に、マスキング係数演算部３４は操作部３１を介して指定された変換元の色を変換先の色に変換するために、図５に示すように境界により区切られた各領域のマスキング係数を演算する。マスキング係数選択部３７は色相領域識別部２４により識別された入力信号３２の色相領域と、彩度識別部２３により識別された入力画像信号３２の彩度に基づいて、マスキング係数演算部３４により演算された各領域のマスキング係数から１つの領域のマスキング係数を選択して色変換部２５に出力する。
【００１３】
例えば色相領域識別部２４により、入力画像信号３２の色相領域が図５に示す境界５１と６２の間と判定された場合には彩度識別部２３により識別された入力画像信号３２の彩度を参照し、彩度が比較的低いと判定されているときには境界５１と５２の間の領域のマスキング係数を選択する。他方、彩度が比較的高いと判定されているときには境界５１と５３の間の領域のマスキング係数を選択する。そして、色変換部２５はマスキング係数選択部３７により選択されたマスキング係数に基づいて入力画像信号３２をＣＭＹデータに色変換する。
【００１４】
【発明の効果】
以上説明したように本発明によれば、彩度に基づいて色相領域毎に演算されたマスキング係数を選択してカラー画像信号を色変換するので、位相領域に対応する１種類のパラメータだけで適切な色変換が可能になる。
【００１５】
請求項２記載の発明によれば、彩度に基づいて色相領域のマスキング係数を選択してカラー画像信号を色変換するようにしたので、カラー画像の色を他の色に変換する場合に人の期待通りに変換することができる。
【図面の簡単な説明】
【図１】  本発明に係るカラー画像処理装置の位置実施形態を示すブロック図である。
【図２】  図１の色変換部を詳しく示すブロック図である。
【図３】  図２の操作部を示す説明図である。
【図４】  色相領域を示す説明図である。
【図５】  色相領域を示す説明図である。
【図６】  色相変動を示す説明図である。
【符号の説明】
２３  彩度識別部
２４  色相領域識別部
２５  色変換部
３３  色相領域選択部
３４  マスキング係数演算部
３７  マスキング係数選択部
【図１】
0003876077.tif 000002
【図２】
0003876077.tif 000003
【図３】
0003876077.tif 000004
【図４】
0003876077.tif 000005
【図５】
0003876077.tif 000006
【図６】
0003876077.tif 000007